(57)【特許請求の範囲】
【請求項１】
シートを搬送するシート搬送部と、
前記シート搬送部により搬送される前記シートの消色性着色剤により画像形成された画像の色を消す消色部と、
前記シート搬送部により搬送される前記シートを読み取り画像を取得する読取部と、
前記読取部が取得した画像に基づいて、前記シートの前記消色部における消色処理の実行可否を判断する制御部と、
前記消色部における消色処理を実行して前記読取部に供給した前記シートに関し、当該消色処理が成功したか否かを前記読取部の読取結果から判定し、消色処理が成功したシート枚数である消色処理成功枚数を示す情報を取得する処理成功枚数取得部と、
前記消色部における消色処理を実行したシート枚数である消色処理実行枚数と、前記処理成功枚数取得部にて取得される消色処理成功枚数と、前記制御部にて消色処理実行不可と判断したシート枚数とを記憶する記憶部と、
前記消色処理実行枚数と前記消色処理成功枚数とに基づき算出される消色処理を実行したシート枚数に対する消色処理に成功したシート枚数の割合としての再利用率を示す情報を表示部に表示させる表示制御部と、
を備える消色装置。
【請求項２】
請求項１の装置において、
前記制御部は、前記読取部にて前記シートから読み取られる画像の印字率もしくは印字濃度が所定の閾値を超える場合に、対応する理由を消色処理を実行できない理由と判定し、
前記表示制御部は、前記制御部における判定結果に基づいて、消色処理を実行できないと判定されたシート枚数を、対応する消色処理を実行できない理由と対応付けて前記表示部に表示させる消色装置。
【請求項３】
請求項２の装置において、
前記表示制御部は、前記制御部にて判定される消色処理を実行できない理由に対応づけて、前記理由に基づく消色処理を実行できない状態を改善するための所定のアドバイス内容を前記表示部に表示させる消色装置。
【請求項４】
請求項１の装置において、
前記制御部は、前記読取部にて前記シートから読み取られる画像の印字率もしくは印字濃度が所定の閾値を超える場合に、対応する理由を消色処理を実行できない理由と判定し、
前記表示制御部は、前記制御部における判定結果に基づいて、消色処理を実行できないと判定されたシート枚数を、対応する消色処理を実行できない理由と対応付けて前記表示部に表示させるとともに、消色処理を実行できないと判定された理由による消色処理を実行できない状態を改善するための所定のアドバイス内容を前記表示部に表示させる消色装置。
【請求項５】
請求項２の装置において、
前記消色処理を実行できない理由は、シート上の画像消し残りを含む消色装置。
【請求項６】
請求項１の装置において、
前記制御部は、前記読取部にて前記シートから読み取られる画像の印字率もしくは印字濃度が所定の閾値を超える場合に、対応する理由を消色処理を実行できない理由と判定し、
前記消色装置における消色処理の実行を指示するユーザの識別情報を取得する識別情報取得部と、
前記記憶部は、消色処理の実行を指示したユーザの識別情報と、前記制御部にて消色処理を実行できないと判定されるシート枚数を示す情報とを対応づけて記憶し、
前記表示制御部は、前記識別情報取得部にて前記識別情報を取得した場合に、前記記憶部に記憶される前記制御部にて消色処理を実行できないと判定されるシート枚数を示す情報の、前記識別情報のユーザに対応する集計結果を、前記表示部にて表示させる消色装置。
【請求項７】
請求項６の装置において、
前記記憶部は、消色処理の実行日と、前記制御部にて消色処理を実行できないと判定されるシート枚数を示す情報とを対応づけて記憶し、
ユーザの操作入力を受け付ける操作入力部をさらに備え、
前記表示制御部は、消色処理の実行日に関する情報に基づく、前記記憶部に記憶される前記制御部にて消色処理を実行できないと判定されるシート枚数を示す情報の、互いに異なる複数の期間のいずれかを単位期間とする集計結果の表示要求を前記操作入力部にて受け付けた場合に、前記集計結果を前記表示部にて表示させる消色装置。
【請求項８】
請求項１の装置において、
シートの重送、あるいは束搬送の少なくともいずれかを検知するセンサを更に備え、
前記制御部は、前記読取部が取得した画像あるいは、前記センサの検知結果に基づいて、前記シートが消色処理を実行可能か否かを判断する消色装置。
【請求項９】
請求項１の装置において、
前記消色装置と通信可能な画像形成装置にて印字処理を施されたシート枚数を示す情報を取得する印字枚数情報取得部と、
前記印字枚数情報取得部により取得されるシート枚数に対する、前記消色部にて消色処理を施されたシート枚数の割合である消色処理実施率を算出する消色処理実施率算出部と、をさらに備え、
前記表示制御部は、前記消色処理実施率を前記表示部に画面表示させる消色装置。
【請求項１０】
請求項１の装置において、
前記消色装置がウォーミングアップ動作を行っているか否かを判別する動作判別部と、
前記表示制御部は、前記動作判別部にて前記消色装置がウォーミングアップ動作を行っていると判定される場合に、前記記憶部に記憶されている前記消色装置および前記画像形成装置の少なくともいずれかの使用法を示す情報をガイダンス表示する消色装置。
【請求項１１】
請求項１の装置において、
前記消色装置における消色処理の実行を指示するユーザの識別情報を取得する識別情報取得部と、
前記記憶部は、消色処理の実行を指示したユーザの識別情報と、前記制御部にて消色処理を実行できないと判定されるシート枚数を示す情報とを対応づけて記憶し、
前記表示制御部は、前記識別情報取得部にて前記識別情報を取得した場合に、前記記憶部に記憶される前記制御部にて消色処理を実行できないと判定されるシート枚数を示す情報の、前記識別情報のユーザに対応する集計結果を、前記表示部にて表示させる消色装置。
【請求項１２】
請求項１１の装置において、
前記記憶部は、消色処理の実行日と、前記制御部にて消色処理を実行できないと判定されるシート枚数を示す情報とを対応づけて記憶し、
ユーザの操作入力を受け付ける操作入力部をさらに備え、
前記表示制御部は、消色処理の実行日に関する情報に基づく、前記記憶部に記憶される前記制御部にて消色処理を実行できないと判定されるシート枚数を示す情報の、互いに異なる複数の期間のいずれかを単位期間とする集計結果の表示要求を前記操作入力部にて受け付けた場合に、前記集計結果を前記表示部にて表示させる消色装置。
【請求項１３】
請求項１の装置において、
前記記憶部は、消色処理の実行日と、前記制御部にて消色処理を実行できないと判定されるシート枚数を示す情報とを対応づけて記憶し、
ユーザの操作入力を受け付ける操作入力部をさらに備え、
前記表示制御部は、消色処理の実行日に関する情報に基づく、前記記憶部に記憶される前記制御部にて消色処理を実行できないと判定されるシート枚数を示す情報の、互いに異なる複数の期間のいずれかを単位期間とする集計結果の表示要求を前記操作入力部にて受け付けた場合に、前記集計結果を前記表示部にて表示させる消色装置。
【請求項１４】
請求項１３の装置において、
前記表示制御部は、消色処理の実行日に関する情報に基づく、前記記憶部に記憶される前記制御部にて消色処理を実行できないと判定されるシート枚数を示す情報の、互いに異なる複数の期間のいずれかを単位期間とする集計結果の表示要求を前記操作入力部にて受け付けた場合に、前記集計結果を前記表示部にて表示させる消色装置。
【請求項１５】
請求項１の装置において、
前記消色性着色剤は加熱されることにより色が消える消色装置。
【請求項１６】
消色性着色剤により画像形成されたシートの画像の色を消す消色部と搬送される前記シートを読み取り画像を取得する読取部とを有する消色装置と接続し、取得した画像に基づいて前記シートが消色処理を実行可能か否かを判断する判定部を有する制御装置であって、
前記消色部における消色処理を実行して前記読取部に供給した前記シートに関し、該消色処理が成功したか否かを前記読取部の読取結果から判定し、消色処理が成功したシート枚数である消色処理成功枚数を示す情報を取得する処理成功枚数取得部と、
前記消色部における消色処理を実行したシート枚数である消色処理実行枚数と、前記処理成功枚数取得部にて取得される消色処理成功枚数と、前記判定部にて消色処理実行不可と判断されたシート枚数とを記憶する記憶部と、
前記消色処理実行枚数と前記消色処理成功枚数とに基づき算出される消色処理を実行したシート枚数に対する消色処理に成功したシート枚数の割合としての再利用率を示す情報を表示部へ送信する表示制御部と、
を備える制御装置。
【請求項１７】
請求項１６の装置において、
前記判定部は、前記読取部にて前記シートから読み取られる画像の印字率もしくは印字濃度が所定の閾値を超える場合に、対応する理由を消色処理を実行できない理由と判定し、
前記表示制御部は、前記判定部における判定結果に基づいて、消色処理を実行できないと判定されたシート枚数を、対応する消色処理を実行できない理由と対応付けて前記表示部に表示させる制御装置。
【請求項１８】
請求項１７の装置において、
前記表示制御部は、前記判定部にて判定される消色処理を実行できない理由に対応づけて、前記理由に基づく消色処理を実行できない状態を改善するための所定のアドバイス内容を前記表示部に表示させる制御装置。
【請求項１９】
請求項１６の装置において、
前記判定部は、前記読取部にて前記シートから読み取られる画像の印字率もしくは印字濃度が所定の閾値を超える場合に、対応する理由を消色処理を実行できない理由と判定し、
前記表示制御部は、前記判定部における判定結果に基づいて、消色処理を実行できないと判定されたシート枚数を、対応する消色処理を実行できない理由と対応付けて前記表示部に表示させるとともに、消色処理を実行できないと判定された理由による消色処理を実行できない状態を改善するための所定のアドバイス内容を前記表示部に表示させる制御装置。
【請求項２０】
請求項１６の装置において、
シートの重送、あるいは束搬送の少なくともいずれかを検知するセンサを更に備え、
前記判定部は、前記読取部が取得した画像あるいは、前記センサの検知結果に基づいて、前記シートが消色処理を実行可能か否かを判断する制御装置。
【請求項２１】
請求項１６の装置において、
前記消色装置と通信可能な画像形成装置にて印字処理を施されたシート枚数を示す情報を取得する印字枚数情報取得部と、
前記印字枚数情報取得部により取得されるシート枚数に対する、前記消色部にて消色処理を施されたシート枚数の割合である消色処理実施率を算出する消色処理実施率算出部と、をさらに備え、
前記表示制御部は、前記消色処理実施率を前記表示部に画面表示させる制御装置。
【請求項２２】
請求項１６の装置において、
前記消色装置がウォーミングアップ動作を行っているか否かを判別する動作判別部と、
前記表示制御部は、前記動作判別部にて前記消色装置がウォーミングアップ動作を行っていると判定される場合に、前記記憶部に記憶されている前記消色装置および前記画像形成装置の少なくともいずれかの使用法を示す情報をガイダンス表示する制御装置。
【請求項２３】
請求項１７の装置において、
前記消色装置における消色処理の実行を指示するユーザの識別情報を取得する識別情報取得部をさらに備え、
前記記憶部は、消色処理の実行を指示したユーザの識別情報と、前記判定部にて消色処理を実行できないと判定されるシート枚数を示す情報とを対応づけて記憶し、
前記表示制御部は、前記識別情報取得部にて前記識別情報を取得した場合に、前記記憶部に記憶される前記判定部にて消色処理を実行できないと判定されるシート枚数を示す情報の、前記識別情報のユーザに対応する集計結果を、前記表示部にて表示させる制御装置。
【請求項２４】
請求項２３の装置において、
前記記憶部は、消色処理の実行日と、前記判定部にて消色処理を実行できないと判定されるシート枚数を示す情報とを対応づけて記憶し、
ユーザの操作入力を受け付ける操作入力部をさらに備え、
前記表示制御部は、消色処理の実行日に関する情報に基づく、前記記憶部に記憶される前記判定部にて消色処理を実行できないと判定されるシート枚数を示す情報の、互いに異なる複数の期間のいずれかを単位期間とする集計結果の表示要求を前記操作入力部にて受け付けた場合に、前記集計結果を前記表示部にて表示させる制御装置。
【請求項２５】
消色性着色剤により画像形成されたシートの画像の色を消す消色部と搬送される前記シートを読み取り画像を取得する読取部とを有する消色装置で処理したシートの処理情報を表示部に表示する表示方法であって、
前記読取部で取得した画像に基づいて、前記シートの前記消色部における消色処理の実行可否を判断し、
前記消色部における消色処理を実行して前記読取部に供給した前記シートに関し、当該消色処理が成功したか否かを前記読取部の読取結果から判定し、消色処理が成功したシート枚数である消色処理成功枚数を示す情報を取得し、
前記消色部における消色処理を実行したシート枚数である消色処理実行枚数と、取得される前記消色処理成功枚数と、消色処理実行不可と判断したシート枚数とを記憶部へ記憶し、
前記消色処理実行枚数と前記消色処理成功枚数とに基づき算出される消色処理を実行したシート枚数に対する消色処理に成功したシート枚数の割合としての再利用率を示す情報を表示部へ表示させることを特徴とする表示方法。
【請求項２６】
請求項２５の方法において、
前記読取部にて前記シートから読み取られる画像の印字率もしくは印字濃度が所定の閾値を超える場合に、対応する理由を消色処理を実行できない理由と判定し、
前記判定結果に基づいて、消色処理を実行できないと判定されたシート枚数を、対応する消色処理を実行できない理由と対応付けて前記表示部に表示させる表示方法。
【請求項２７】
請求項２６の方法において、
前記判定される消色処理を実行できない理由に対応づけて、前記理由に基づく消色処理を実行できない状態を改善するための所定のアドバイス内容を前記表示部に表示させる表示方法。
【請求項２８】
請求項２５の方法において、
前記読取部にて前記シートから読み取られる画像の印字率もしくは印字濃度が所定の閾値を超える場合に、対応する理由を消色処理を実行できない理由と判定し、
前記判定結果に基づいて、消色処理を実行できないと判定されたシート枚数を、対応する消色処理を実行できない理由と対応付けて前記表示部に表示させるとともに、消色処理を実行できないと判定された理由による消色処理を実行できない状態を改善するための所定のアドバイス内容を前記表示部に表示させる表示方法。
【請求項２９】
請求項２５の方法において、
前記消色装置は、シートの重送、あるいは束搬送の少なくともいずれかを検知するセンサを更に備え、
前記読取部が取得した画像あるいは、前記センサの検知結果に基づいて、前記シートが消色処理を実行可能か否かを判断する表示方法。
【請求項３０】
請求項２５の方法において、
前記消色装置と通信可能な画像形成装置にて印字処理を施されたシート枚数を示す情報を取得し、
取得されるシート枚数に対する、前記消色部にて消色処理を施されたシート枚数の割合である消色処理実施率を算出し、
前記消色処理実施率を前記表示部に画面表示させる表示方法。
【請求項３１】
請求項２５の方法において、
前記消色装置がウォーミングアップ動作を行っているか否かを判別し、
前記消色装置がウォーミングアップ動作を行っていると判定される場合に、前記記憶部に記憶されている前記消色装置および前記画像形成装置の少なくともいずれかの使用法を示す情報をガイダンス表示する表示方法。
【請求項３２】
請求項２５の方法において、
前記消色装置における消色処理の実行を指示するユーザの識別情報を取得し、
消色処理の実行を指示したユーザの識別情報と、消色処理を実行できないと判定されるシート枚数を示す情報とを対応づけて記憶し、
前記識別情報を取得した場合に、前記記憶部に記憶される消色処理を実行できないと判定されるシート枚数を示す情報の、前記識別情報のユーザに対応する集計結果を、前記表示部にて表示させる表示方法。
【請求項３３】
請求項２５の方法において、
前記記憶部は、消色処理の実行日と、消色処理を実行できないと判定されるシート枚数を示す情報とを対応づけて記憶し、
消色処理の実行日に関する情報に基づく、前記記憶部に記憶される消色処理を実行できないと判定されるシート枚数を示す情報の、互いに異なる複数の期間のいずれかを単位期間とする集計結果の表示要求を受け付けた場合に、前記集計結果を前記表示部にて表示させる表示方法。
【請求項３４】
消色性着色剤により画像形成されたシートの画像の色を消す消色部と搬送される前記シートを読み取り画像を取得する読取部とを有する消色装置と接続し、取得した画像に基づいて前記シートが消色処理を実行可能か否かを判断する制御装置における表示制御機能をコンピュータに実現させる表示制御プログラムであって、
前記消色部における消色処理を実行して前記読取部に供給した前記シートに関し、当該消色処理が成功したか否かを前記読取部の読取結果から判定し、消色処理が成功したシート枚数である消色処理成功枚数を示す情報を取得する処理成功枚数取得機能と、
前記消色部における消色処理を実行したシート枚数である消色処理実行枚数と、取得される前記消色処理成功枚数と、消色処理実行不可と判断したシート枚数とを記憶する記憶機能と、
前記消色処理実行枚数と前記消色処理成功枚数とに基づき算出される消色処理を実行したシート枚数に対する消色処理に成功したシート枚数の割合としての再利用率を示す情報を表示部へ送信する送信機能と、をコンピュータに実現させる表示制御プログラム。
【請求項３５】
請求項３４のプログラムにおいて、
前記読取部にて前記シートから読み取られる画像の印字率もしくは印字濃度が所定の閾値を超える場合に、対応する理由を消色処理を実行できない理由と判定する判定機能と、
判定結果に基づいて、消色処理を実行できないと判定されたシート枚数を、対応する消色処理を実行できない理由と対応付けて前記表示部に表示させるとともに、消色処理を実行できないと判定された理由による消色処理を実行できない状態を改善するための所定のアドバイス内容を前記表示部に表示する表示機能と、をさらにコンピュータに実現させる表示制御プログラム。
【発明の詳細な説明】
【技術分野】
【０００１】
この明細書に記載の実施形態は、消色性着色剤により画像形成された画像の色を消す消色装置における情報表示技術に関する。
【背景技術】
【０００２】
従来、いわゆる消色性の着色剤により画像を形成されたシートに、加熱処理を施してシート上の画像の色を消色し、当該シートを再利用可能とする消色装置が知られている。
また、消色処理の対象となる様々なシートについて消色可能か否かの判定や消色処理が成功したか否かの判定を行う消色装置も知られている（例えば、特許文献１参照）。
【発明の概要】
【発明が解決しようとする課題】
【０００３】
消色装置における消色処理では、消色処理の対象となるシートに破れや折れがあったり、ステイプルされた束のままでセットされたり、といった原因により消色処理を実行できない若しくは消色処理を十分に行えない場合がある。
環境負荷低減の観点を考慮すると、消色装置における消色処理の処理状況に関する情報の把握は重要であるが、従来のユーザインターフェース画面では、このような情報を把握しにくかった。
【０００４】
この明細書は上述した問題点を解決するためになされたものであり、消色処理の処理状況を把握できる消色装置を提供することを目的とする。
【課題を解決するための手段】
【０００５】
上記課題を解決するため、一般に、実施形態によれば、消色装置は、シート搬送部と、消色部と、読取部と、制御部と、処理成功枚数取得部と、記憶部と、表示制御部とをもつ。消色部は、前記シート搬送部により搬送される前記シートの消色性着色剤により画像形成された画像の色を消す。読取部は、前記シート搬送部により搬送される前記シートを読み取り画像を取得する。制御部は、前記読取部が取得した画像に基づいて、前記シートの前記消色部における消色処理の実行可否を判断する。処理成功枚数取得部は、前記消色部における消色処理を実行して前記読取部に供給した前記シートに関し、当該消色処理が成功したか否かを前記読取部の読取結果から判定し、消色処理が成功したシート枚数である消色処理成功枚数を示す情報を取得する。記憶部は、前記消色部における消色処理を実行したシート枚数である消色処理実行枚数と、前記処理成功枚数取得部にて取得される消色処理成功枚数と、前記制御部にて消色処理実行不可と判断したシート枚数とを記憶する。表示制御部は、前記消色処理実行枚数と前記消色処理成功枚数とに基づき算出される消色処理を実行したシート枚数に対する消色処理に成功したシート枚数の割合としての再利用率を示す情報を表示部に表示させる。
【発明の効果】
【０００６】
以上に詳述したように、この明細書によれば、消色処理の処理状況を把握できる消色装置を提供することができる。
【図面の簡単な説明】
【０００７】
【図１】第１の実施の形態による消色装置Ｅの外観を上方から見た平面図である。
【図２】第１の実施の形態による消色装置Ｅの外観を正面から見た正面図である。
【図３】第１の実施の形態による消色装置Ｅの内部構成を示す縦断面図である。
【図４】第１の実施の形態による消色装置Ｅの機能構成を示すブロック図である。
【図５】ＨＤＤ８０４に蓄積される各種処理のログのデータテーブルの一例を示す図である。
【図６】ＨＤＤ８０４に蓄積される各種処理のログのデータテーブルの一例を示す図である。
【図７】ＨＤＤ８０４に蓄積される各種処理のログのデータテーブルの一例を示す図である。
【図８】第１の実施の形態による消色装置について説明するための機能ブロック図である。
【図９】第１の実施の形態による消色装置Ｅにおける処理（表示制御方法）の流れについて説明するためのフローチャートである。
【図１０】第１の実施の形態による消色装置Ｅにおけるインターフェース画面での表示内容の一例を示す図である。
【図１１】第１の実施の形態による消色装置Ｅにおけるインターフェース画面での表示内容の一例を示す図である。
【図１２】第１の実施の形態による消色装置Ｅにおけるインターフェース画面での表示内容の一例を示す図である。
【図１３】第１の実施の形態による消色装置Ｅにおけるインターフェース画面での表示内容の一例を示す図である。
【図１４】第１の実施の形態による消色装置Ｅにおけるインターフェース画面での表示内容の一例を示す図である。
【図１５】第１の実施の形態による消色装置Ｅにおけるインターフェース画面での表示内容の一例を示す図である。
【図１６】第１の実施の形態による消色装置Ｅにおけるインターフェース画面での表示内容の一例を示す図である。
【図１７】第２の実施の形態による消色装置について説明するための機能ブロック図である。
【図１８】第２の実施の形態による消色装置Ｅ２における処理（表示制御方法）の流れについて説明するためのフローチャートである。
【図１９】第２の実施の形態による消色装置Ｅ２における、表示制御部１０２ｂにより表示部８０５ａにて画面表示されるメインメニュー画面の一例である。
【図２０】第２の実施の形態による消色装置Ｅ２における、表示制御部１０２ｂにより表示部８０５ａにて画面表示されるメインメニュー画面の一例である。
【図２１】第２の実施の形態による消色装置Ｅ２における、表示制御部１０２ｂにより表示部８０５ａにて画面表示されるメインメニュー画面の一例である。
【図２２】第３の実施の形態による消色装置について説明するための機能ブロック図である。
【図２３】第３の実施の形態による消色装置Ｅ３における処理（表示制御方法）の流れについて説明するためのフローチャートである。
【図２４】ガイダンス表示の状態を示す図である。
【図２５】ガイダンス表示の状態を示す図である。
【図２６】ガイダンス表示の状態を示す図である。
【図２７】ガイダンス表示の状態を示す図である。
【図２８】第４の実施の形態による消色装置について説明するための機能ブロック図である。
【図２９】第４の実施の形態による消色装置Ｅ４における処理（表示制御方法）の流れについて説明するためのフローチャートである。
【図３０】消色処理が完了した、もしくは停止ボタンｍ４が押下されたときに、表示制御部１０２ｄにより表示部８０５ａにて表示させる画面例を示す図である。
【図３１】個人認証画面Ｐ１’を示す図である。
【図３２】個人認証画面Ｐ１’を示す図である。
【図３３】個人認証画面Ｐ１’を示す図である。
【図３４】認証されたユーザ個人の消色処理の成功率に基づいて表示される、部門内での当該ユーザの順位表示を行うランキング画面Ｌ１の一例を示す図である。
【図３５】消色不可用紙の状態と改善のアドバイスを表示するアドバイス画面Ａ１を示す図である。
【図３６】第５の実施の形態による消色装置について説明するための機能ブロック図である。
【図３７】第５の実施の形態による消色装置Ｅ５における処理（表示制御方法）の流れについて説明するためのフローチャートである。
【図３８】供給カセットに用紙をセットした後に、メインメニューのスタートを押下後に表示が切り替わり累積情報を示す画面Ｌ１の一例である。
【図３９】個人取得処理が完了した場合に、表示制御部１０２ｅが表示部８０５ａにて表示させる画面Ｌ１の一例である。
【図４０】集計結果等を示す画面Ｌ２の一例である。
【図４１】集計結果等を示す画面Ｌ３の一例である。
【発明を実施するための形態】
【０００８】  以下、実施の形態について図面を参照しつつ説明する。（第１の実施の形態）  まず、第１の実施の形態について説明する。  図１は、第１の実施の形態による消色装置Ｅの外観を上方から見た平面図である。図２は、第１の実施の形態による消色装置Ｅの外観を正面から見た正面図である。  消色装置Ｅは、いわゆる消色性トナーや消色性インク等の「消色性着色剤」により画像を形成されたシートに対して、当該消色性着色剤の色を消す「消色処理」を施す。  図１および図２に示すように、第１の実施の形態による消色装置Ｅは、ＰＲＯＣＥＳＳＯＲ８０１、ＡＳＩＣ（Application Specific Integrated Circuit）８０２、ＭＥＭＯＲＹ８０３（記憶部に相当）、ＨＤＤ（Hard Disk Drive）８０４（記憶部に相当）、 表示部８０５ａ、タッチパネル（touch panel）式操作部８０５ｂ（操作入力部に相当）、ボタン式操作部８０６（操作入力部に相当）、ＩＣカードリーダ８０７、供給カセット５０５および５０６、排出カセット５０１および５０２、リジェクトボックス５０９、を備えている。 
【０００９】
表示部８０５ａは、例えば、電子ペーパ、ＬＣＤ（Liquid crystal display）、ＥＬ（Electronic Luminescence）、ＰＤＰ（Plasma Display Panel）、ＣＲＴ（Cathode Ray Tube）等から構成されることができる。
表示部８０５ａとタッチパネル式操作部８０５ｂとが協働することにより、いわゆるタッチパネルディスプレイが実現される。
本実施の形態による消色装置Ｅにおいて、ＰＲＯＣＥＳＳＯＲ８０１は、消色装置Ｅにおける各種処理を行う役割を有しており、またＭＥＭＯＲＹ８０３、ＨＤＤ８０４等に格納されているプログラムを実行することにより種々の機能を実現する役割も有している。なお、ＰＲＯＣＥＳＳＯＲ８０１は、同等の演算処理を実行可能なＣＰＵ（Central Processing Unit）やＭＰＵ（Micro Processing Unit）により実現することも可能であることは言うまでもない。また、ＨＤＤ８０４についても同様に、例えばフラッシュメモリ等の記憶装置により代替可能である。
【００１０】
ＭＥＭＯＲＹ８０３は、例えば、ＲＡＭ（Random Access Memory）、ＲＯＭ（Read Only Memory）、ＤＲＡＭ（Dynamic Random Access Memory）、ＳＲＡＭ（Static Random Access Memory）、ＶＲＡＭ（Video RAM）、フラッシュメモリ等から構成されることができ、消色装置Ｅにおいて利用される種々の情報やプログラムを格納する役割を有している。
ＩＣカードリーダ８０７は、ユーザが所持するＩＣカードから当該ユーザのＩＤ情報を読み取る。ＰＲＯＣＥＳＳＯＲ８０１は、ＩＣカードリーダ８０７にて読み取られるＩＤ情報に基づいて、個人認証処理を行う。
また、ＰＲＯＣＥＳＳＯＲ８０１およびＡＳＩＣ８０２は、例えばＬＡＮ回線などを通じて、ネットワークサーバや画像形成装置（ＭＦＰ：Multi Function Peripheral）などの外部装置との情報送受信を行うことができる。
【００１１】
続いて、消色装置Ｅの内部構成について詳細に説明する。
図３は、第１の実施の形態による消色装置Ｅの内部構成を示す縦断面図である。図４は、第１の実施の形態による消色装置Ｅの機能構成を示すブロック図である。
消色装置Ｅは、例えば、消色処理の対象となる画像形成済のシートを積載収容する供給カセット５０５および供給カセット５０６と、消色装置Ｅにて消色処理を施されたシートを収容する排出カセット５０１および５０２と、再利用不可能なシートを収容するリジェクトボックス５０９（廃棄シート収容部に相当）と、搬送されるシートの厚さを検知するレバー式の厚さセンサ５０７と、供給カセット５０５および供給カセット５０６から供給されるシートの重送を検知する重送センサ５０８と、搬送されるシート表面に形成されている画像の印字状態（輝度、汚れ、しみ、しわ、色等も含む）等を検知するための光学式のラインセンサ５０４と、シート上に形成されている消色性着色剤による画像を加熱して消色する消色処理部５０３ａおよび５０３ｂと、搬送対象であるシートを所定のシート搬送方向に導く搬送パスＰａ〜Ｐｊ等と、これら搬送パスＰａ〜Ｐｊ等でシートを搬送する搬送ローラＲ３〜Ｒ８と、供給カセット５０５および供給カセット５０６から搬送パスへのシート供給を行うシート供給ローラＲ１およびＲ２と、消色処理後のシートをカセット５０１および５０２に排出する排出ローラＲ９およびＲ１０と、搬送パスの分岐点にも受けられるフラッパＦと、を備えている。
【００１２】
これら搬送パスＰａ〜Ｐｊ等および搬送ローラＲ３〜Ｒ８等が、「シート搬送部」に相当する。上記搬送ローラＲ１〜Ｒ１０は、ＰＲＯＣＥＳＳＯＲ８０１により駆動制御される。シート搬送部にて搬送されるシートの搬送方向は、ＰＲＯＣＥＳＳＯＲ８０１により制御されるフラッパＦにより規定される。
シート搬送部は、シート搬送方向においてラインセンサ５０４（画像読取部）を通過したシートを、再利用不可能なシートを収容するリジェクトボックス５０９に搬送する「廃棄シート搬送路」としての搬送パスＰｃ、搬送パスＰｄ、搬送パスＰｅを備えている。
また、ラインセンサ５０４およびＰＲＯＣＥＳＳＯＲ８０１が協働して、「画像読取部」としての機能を実現している。
ラインセンサ５０４は、消色処理部５０３ａおよび５０３ｂよりもシート搬送方向上流側に配置され、シート搬送部により搬送されるシートに形成されている画像をスキャンする。ＰＲＯＣＥＳＳＯＲ８０１は、ラインセンサ５０４によりシートから読み取られた画像データに基づいて、シート上に形成されている画像の印字率、印字濃度、印字色（印字状態情報に相当）等を検知する。
【００１３】
またラインセンサ５０４は、上記「印字状態情報」としての印字率、印字濃度、印字色等を、シートの両面について読み取ることができる。
また、厚さセンサ５０７およびＰＲＯＣＥＳＳＯＲ８０１が協働して、「シート厚さ検知部」としての機能を実現している。ここでの厚さセンサ５０７は、シート搬送部によるシート搬送方向における消色処理部５０３ａおよび５０３ｂよりも上流側に配置され、回転軸５０７ｒを支点として回転可能なレバー部材５０７Ｌを備えている。レバー部材５０７Ｌは、回転軸５０７ｒを支点として図２における反時計回りにバネ等の弾性部材により付勢されている。厚さセンサ５０７は、シート搬送路における厚さセンサ５０７付近を通過するシートの厚さに応じて退避するレバー部材の回転角度を、光学式センサ等によって検知し、シートの厚さに関する情報を得る。
【００１４】
また、ＰＲＯＣＥＳＳＯＲ８０１が「処理制御部」に相当している。
消色処理部５０３ａは、ローラａ１、ローラａ２およびこれらローラに巻架されるベルトａ３を備えており、これらローラの回転に伴ってベルトａ３も回転する。ローラａ１およびローラａ２の少なくともいずれか一方は、ＰＲＯＣＥＳＳＯＲ８０１により回転駆動される。また、ローラａ１およびローラａ２の少なくともいずれか一方は、ＰＲＯＣＥＳＳＯＲ８０１により制御されるヒータにより加熱される。
消色処理部５０３ｂも同様に、ローラｂ１、ローラｂ２およびこれらローラに巻架されるベルトｂ３を備えており、これらローラの回転に伴ってベルトｂ３も回転する。ローラｂ１およびローラｂ２の少なくともいずれか一方は、ＰＲＯＣＥＳＳＯＲ８０１により回転駆動される。また、ローラｂ１およびローラｂ２の少なくともいずれか一方は、ＰＲＯＣＥＳＳＯＲ８０１により制御されるヒータにより加熱される。
【００１５】
上述のような構成の消色処理部５０３ａおよび５０３ｂは、ベルトａ３、ベルトｂ３、搬送ローラＲ６および搬送ローラＲ７等によって挟持搬送されるシートを、搬送しながら加熱することにより、当該シート上に形成されている消色性着色剤を消色させる。
ＰＲＯＣＥＳＳＯＲ８０１（処理制御部）は、取得される印字状態情報に基づいて、消色処理部５０３ａおよび５０３ｂによる消色処理の制御パラメータや、シート搬送部によるシート搬送速度等を制御する。
さらに、ＰＲＯＣＥＳＳＯＲ８０１は、消色処理を施れたシートを、搬送パスＰｊおよび搬送パスＰｇを経由してラインセンサ５０４に搬送することにより、ラインセンサ５０４にて消色処理後のシートの両面の画像を読み取らせる。
【００１６】
続いて、第１の実施の形態による消色装置Ｅにおける処理の基本動作について説明する。
ＰＲＯＣＥＳＳＯＲ８０１は、シート供給ローラＲ１またはＲ２を制御して、カセット５０５もしくはカセット５０６から、消色処理の対象となるシートＳｂを、シート搬送路に供給する。
重送センサ５０８は、カセット５０５およびカセット５０６から供給されるシートの重送検知を行う。
重送センサ５０８にて重送が検知された場合、ＰＲＯＣＥＳＳＯＲ８０１は、当該重送が検知されたシートを、搬送ローラＲ３またはＲ４を駆動して、搬送パスＰｃまたは搬送パスＰｄを通じてリジェクトボックス５０９へと排出させる。
続いて、ＰＲＯＣＥＳＳＯＲ８０１は、厚さセンサ５０７を用いて、重送されることなく１枚だけ供給されたシートの厚みを検知して得られる情報を取得する。
ＰＲＯＣＥＳＳＯＲ８０１は、厚さセンサ５０７にて検知されるシート厚さが所定の閾値を超える場合、搬送パスＰｂ、搬送パスＰｈおよび搬送パスＰｅを通してリジェクトボックス５０９へと排出させる。
【００１７】
なお、ここでの搬送パスＰｂは、シート搬送方向におけるラインセンサ５０４よりも上流側に設けられている。これにより、ラインセンサ５０４に対して、ラインセンサ５０４における許容値を超えるほどの厚みを有するシートが、ラインセンサ５０４に進入してしまうことを回避することができ、ラインセンサ５０４におけるシート詰まりや破損等の不具合の発生を防止することができる。
ＰＲＯＣＥＳＳＯＲ８０１は、重送されることなく、且つシート厚さが所定の閾値を超えていない場合、ラインセンサ５０４によるシートの両面の画像読み取りを行わせる。
続いて、ＰＲＯＣＥＳＳＯＲ８０１は、ラインセンサ５０４にて読み取った画像に基づいて検知される「印字率」もしくは「印字濃度」が所定の閾値を超えるシートを、搬送ローラＲ６、搬送ローラＲ７および搬送ローラＲ５等を制御して、搬送パスＰｉ、搬送パスＰｊ、搬送パスＰｅを介して、リジェクトボックス５０９へと排出させる。
【００１８】
ＰＲＯＣＥＳＳＯＲ８０１（処理制御部）は、ラインセンサ５０４、厚さセンサ５０７等から取得した情報に基づいて、消色処理部５０３ａ、消色処理部５０３ｂおよびシート搬送部が協働して行う消色処理の制御パラメータを制御する。
ＰＲＯＣＥＳＳＯＲ８０１は、上述のようにして対象となるシートに対応して設定される制御パラメータに基づいて、搬送ローラＲ６、搬送ローラＲ７および消色処理部５０３ａおよび５０３ｂ等が協働することにより行われる消色処理を、当該シートに対して実行させる。
ＰＲＯＣＥＳＳＯＲ８０１は、消色処理を施したシートを、搬送パスＰｊおよび搬送パスＰｇを経由してラインセンサ５０４に搬送することにより、消色処理後のシートの両面の画像を読み取る。
【００１９】
ＰＲＯＣＥＳＳＯＲ８０１は、画像読み取りの結果、シート上に所定値以上の濃度で着色剤の色が残っていると判定される場合、すでにそのシートに対して何回消色処理を行っているかを判定し、既定の回数以上消色処理を繰り返している場合には、消色困難と判断し、シート搬送部により搬送パスＰｉ、搬送パスＰｊ、搬送パスＰｅを介して、リジェクトボックス５０９へと排出させる。なお、あるシートに対して何回消色処理を行っているかの履歴情報は、例えばＭＥＭＯＲＹ８０３やＨＤＤ８０４に格納しておくことができる。
一方、既定の回数以上消色処理を繰り返している場合には、ＰＲＯＣＥＳＳＯＲ８０１は、消色処理を再度実行させる。
ＰＲＯＣＥＳＳＯＲ８０１は、消色処理後のシートの両面の画像をラインセンサ５０４にて読み取り、シート上に所定値以上の濃度の色の着色剤は残っていないと判定される場合、シート搬送部により搬送パスＰｉ、搬送パスＰｊ、搬送パスＰｆを介して、排出カセット５０１もしくは５０２へと排出させる。
【００２０】
なお、ＰＲＯＣＥＳＳＯＲ８０１およびＡＳＩＣ８０２は、消色装置Ｅにおいて行われる各種処理のログをＨＤＤ８０４にデータテーブルとして蓄積する。また、ＰＲＯＣＥＳＳＯＲ８０１およびＡＳＩＣ８０２は、消色処理の実行に伴う動的な表示処理を行うために、データテーブルへのデータ追加処理も、追加すべきデータが発生する度にリアルタイムに行う。そして、ＰＲＯＣＥＳＳＯＲ８０１およびＡＳＩＣ８０２は、動的に更新されてゆくデータテーブルを常時参照することにより、表示部８０５ａにおける表示内容（データテーブルのデータ内容など）を動的に更新してゆく。
図５〜図７は、ＨＤＤ８０４に蓄積される各種処理のログのデータテーブルの一例を示す図である。
【００２１】
まず、ＰＲＯＣＥＳＳＯＲ８０１およびＡＳＩＣ８０２は、消色装置Ｅにおいて消色処理が行われる場合における、各消色処理毎に発行される消色処理ＩＤに、以下の（１）〜（６）の項目の情報を対応づけて登録してゆく（図５を参照）。
（１）処理実行日（消色処理を実行した日）
（２）ユーザＩＤ（消色処理の実行を指示したユーザのＩＤ）
（３）所属部門（上記ＩＤのユーザが所属する部門）
（４）消色処理実行枚数［枚］（その処理ＩＤの消色処理における処理対象となった（消色処理の実行を試みた）シート枚数）
（５）消色処理成功枚数［枚］（その処理ＩＤの消色処理において消色処理に成功したシート枚数）
（６）消色処理失敗枚数［枚］（その処理ＩＤの消色処理において消色処理に失敗したシート枚数）
【００２２】
また、ＰＲＯＣＥＳＳＯＲ８０１およびＡＳＩＣ８０２は、消色装置Ｅにおいて消色処理が行われる場合における、各消色処理毎に発行される消色処理ＩＤに、以下の（７）〜（１０）の項目の情報を対応づけて登録してゆく（図６を参照）。
（７）合計消去失敗枚数［枚］（その処理ＩＤの消色処理において、消色処理に失敗したシート枚数の合計）
（８）再利用率［％］（その処理ＩＤの消色処理において、消色処理を実行した枚数に対する、消色処理に成功した枚数の割合（＝（（５）／（４））×１００）
（９）改善内容ガイダンスＩＤ（その処理ＩＤの消色処理の結果に基づいて、ユーザに提示することが望ましいガイダンス内容を示すＩＤ）
（１０）環境負荷貢献率（上記消色処理成功枚数に所定の係数を乗算した数値）
【００２３】
さらに、ＰＲＯＣＥＳＳＯＲ８０１およびＡＳＩＣ８０２は、消色装置Ｅにおいて消色処理が行われる場合における、所定の期間それぞれと、それらの期間内に実行される各消色処理の処理内容に関する以下の（１１）〜（１３）の項目の情報とを対応づけて登録してゆく（図７を参照）。
（１１）期間内印字枚数（その期間内に、あらかじめ設定されている特定の画像形成装置（例えば、消色装置Ｅが通信可能な画像形成装置）において印字処理が実行された枚数）
（１２）期間内消色処理実施枚数（その期間内に、消色装置Ｅにて消色処理が実行された（消色処理を試みた）シート枚数）
（１３）期間内消色処理成功枚数（その期間内に、消色装置Ｅにて実行された消色処理が成功したシート枚数）
なお、ＰＲＯＣＥＳＳＯＲ８０１およびＡＳＩＣ８０２は、ＨＤＤ８０４に格納されている上記データテーブルの各データを所望の配列や並び順にソートもしくは加工して利用することができる。例えば、ＰＲＯＣＥＳＳＯＲ８０１およびＡＳＩＣ８０２にて、上記（１）〜（６）のデータを加工したり集計したりすることにより、上述の（７）〜（１３）のデータを生成することができる。
【００２４】
図８は、第１の実施の形態による消色装置について説明するための機能ブロック図である。
第１の実施の形態による消色装置Ｅは、消色可否判定部１０１、表示制御部１０２、再利用率算出部１０３、貢献率算出部１０４、印字枚数情報取得部１０５、消色処理実施率算出部１０６を備えている。
消色可否判定部１０１は、ラインセンサ５０４（画像読取部）および厚さセンサ５０７の内の少なくともいずれかにおける検知結果に基づいて、検知対象となったシートの消色処理部５０３ａおよび５０３ｂにおける消色処理の実行可否を判定する。
消色可否判定部１０１は、検知対象となったシートが「消色処理部における消色処理を実行できないもの」である場合に、ラインセンサ５０４および厚さセンサ５０７の内の少なくともいずれかにおける検知結果に基づいて、消色処理を実行できない理由が、複数の所定の理由の内のいずれかに該当するかを判定する。
なお、本実施の形態では、ＨＤＤ８０４等の記憶領域に、予めいくつかの「消色処理を実行できない理由」の基準値を格納しておき、消色可否判定部１０１は、いずれかの基準値を超えている場合に、その基準値に対応する理由を「消色処理を実行できない理由」と判定する。
【００２５】  なお、ここでの「消色処理を実行できない（再利用できない）理由」の具体例としては、たとえば、（１）シート上に消し残りの画像がある（ボールペン等の消色できない筆記具により記入されている場合など）（２）シートに折れや破れがある（３）シートが束になっている（シート束がステイプルされている場合など）（４）シートに残留物がある（シートに付箋が貼り付けられている場合など）といったものが挙げられる。 
【００２６】
表示制御部１０２は、ＭＥＭＯＲＹ８０３やＨＤＤ８０４に記憶される、消色可否判定部１０１にて「消色処理実行不可」と判定されるシート枚数を示す情報を、表示部８０５ａにて画面表示させる。
表示制御部１０２は、「消色処理の実行日」および「消色処理の実行を指示したユーザの識別情報」の内の少なくともいずれかに関する情報に基づく、ＭＥＭＯＲＹ８０３やＨＤＤ８０４に記憶される「消色可否判定部１０１にて消色処理実行不可と判定されるシート枚数を示す情報」の集計結果の表示要求をタッチパネル式操作部８０５ｂにて受け付けた場合に、集計結果を表示部８０５ａにて画面表示させる。
再利用率算出部１０３は、（１）消色可否判定部１０１にて消色処理実行不可と判定されるシート枚数と、（２）厚さセンサにて検知対象となったシート枚数と、に基づき、「シートの再利用率を示す情報」を算出する。
表示制御部１０２は、「シートの再利用率を示す情報」を表示部８０５ａにて画面表示させる。
【００２７】
また、表示制御部１０２は、消色可否判定部１０１における判定結果に基づいて、「複数の消色処理を実行できない理由それぞれにより消色処理を実行できないと判定されたシート枚数」を、「複数の消色処理を実行できない理由それぞれ」と対応付けて表示部８０５ａにて画面表示させる。
また、表示制御部１０２は、消色可否判定部１０１にて判定される「消色処理を実行できない理由」に対応づけて、「当該理由に基づく消色処理を実行できない状態を改善するための所定のアドバイス内容」を表示部８０５ａに画面表示させる。
さらに、表示制御部１０２は、消色可否判定部１０１における判定結果に基づいて、「複数の消色処理を実行できない理由それぞれにより消色処理を実行できないと判定されたシート枚数」を、「複数の消色処理を実行できない理由それぞれ」と対応付けて表示部８０５ａにて画面表示させるとともに、消色処理を実行できないと判定された枚数が最も多い理由による消色処理を実行できない状態を改善するための所定のアドバイス内容を表示部８０５ａに画面表示させる。
【００２８】
また、貢献率算出部１０４は、消色可否判定部１０１にて「消色処理実行不可」と判定されるシート枚数および厚さセンサ５０７にて検知対象となったシート枚数に基づいて「実際に消色処理を施されたシート枚数」を求め、消色処理を施されたシート枚数に規定の係数を乗算して算出される「環境負荷貢献率（例えば、ＣＯ２の削減量）」を求める。
表示制御部１０２は、貢献率算出部１０４にて算出される「環境負荷貢献率」を、表示部８０５ａにて画面表示させる。
印字枚数情報取得部１０５は、「消色装置Ｅと通信可能な画像形成装置にて印字処理を施されたシート枚数を示す情報」を取得する。
消色処理実施率算出部１０６は、印字枚数情報取得部１０５により取得されるシート枚数に対する、消色可否判定部１０１にて「消色処理実行不可」と判定されるシート枚数および厚さセンサにて検知対象となったシート枚数に基づいて算出される消色処理を施されたシート枚数の割合である「消色処理実施率」を算出する。
表示制御部１０２は、「消色処理実施率」を表示部８０５ａに画面表示させる。
【００２９】
図９は、第１の実施の形態による消色装置Ｅにおける処理（表示制御方法）の流れについて説明するためのフローチャートである。図１０〜図１６は、第１の実施の形態による消色装置Ｅにおけるインターフェース画面での表示内容の一例を示す図である。
消色可否判定部１０１は、ラインセンサ５０４および厚さセンサ５０７の内の少なくともいずれかにおける検知対象となったシートの消色処理部５０３ａおよび５０３ｂにおける消色処理の実行可否を判定する（ＡＣＴ１０１）。
再利用率算出部１０３は、（１）消色可否判定部１０１にて消色処理実行不可と判定されるシート枚数と、（２）厚さセンサにて検知対象となったシート枚数と、に基づき、「シートの再利用率を示す情報」を算出する（ＡＣＴ１０２）。
【００３０】
また、貢献率算出部１０４は、「消色処理実行不可」と判定されるシート枚数および厚さセンサ５０７にて検知対象となったシート枚数に基づいて「実際に消色処理を施されたシート枚数」を求め、消色処理を施されたシート枚数に規定の係数を乗算して算出される「環境負荷貢献率」を求める（ＡＣＴ１０３）。
印字枚数情報取得部１０５は、「消色装置Ｅと通信可能な画像形成装置にて印字処理を施されたシート枚数を示す情報」を取得する（ＡＣＴ１０４）。
消色処理実施率算出部１０６は、印字枚数情報取得部１０５により取得されるシート枚数に対する、消色可否判定部１０１にて「消色処理実行不可」と判定されるシート枚数および厚さセンサにて検知対象となったシート枚数に基づいて算出される消色処理を施されたシート枚数の割合である「消色処理実施率」を算出する（ＡＣＴ１０５）。
【００３１】
表示制御部１０２は、ＭＥＭＯＲＹ８０３やＨＤＤ８０４に記憶される、消色可否判定部１０１にて「消色処理実行不可」と判定されるシート枚数を示す情報を、表示部８０５ａにて画面表示させる（ＡＣＴ１０６）。
表示制御部１０２は、「シートの再利用率を示す情報」を表示部８０５ａにて画面表示させる。
また、表示制御部１０２は、消色可否判定部１０１における判定結果に基づいて、「複数の消色処理を実行できない理由それぞれにより消色処理を実行できないと判定されたシート枚数」を、「複数の消色処理を実行できない理由それぞれ」と対応付けて表示部８０５ａにて画面表示させる。
また、表示制御部１０２は、消色可否判定部１０１にて判定される「消色処理を実行できない理由」に対応づけて、「当該理由に基づく消色処理を実行できない状態を改善するための所定のアドバイス内容」を表示部８０５ａに画面表示させる。
表示制御部１０２は、貢献率算出部１０４にて算出される「環境負荷貢献率」を、表示部８０５ａにて画面表示させる。
表示制御部１０２は、「消色処理実施率」を表示部８０５ａに画面表示させる。
【００３２】
図１０は、表示制御部１０２により表示部８０５ａにて画面表示されるメインメニュー画面の一例である。
メインメニュー画面では、タブｔ１〜タブｔ５によって任意のシートを選択可能となっている。
図１０は、タブｔ１が選択され、メインメニュー表示画面が表示されている状態を示している。図１１は、タブｔ２が選択され、リユース率表示画面が表示されている状態を示している。  図１２は、タブｔ３が選択され、リジェクト状況表示画面が表示されている状態を示している。図１３は、タブｔ４が選択され、ログ表示画面（ＣＯ２削減量やリユース率といった情報を表示）が表示されている状態を示している。図１４は、タブｔ５が選択され、レベル設定表示画面が表示されている状態を示している。
【００３３】
図１０に示すメインメニュー画面では、部門ボタンｍ１、個人ボタンｍ２、管理者ボタンｍ３、停止ボタンｍ４およびスタートボタンｍ５が、画面下側に表示されている。
ユーザは、ＩＣカードリーダ８０７にて自分のＩＤ情報が記憶されているＩＣカードを読み取らせ、個人認証を行うと、個人ボタンｍ２を押下して、自分が消色装置Ｅにて行わせた（自分のＩＤ情報に対応付けてＨＤＤ８０４に格納されている情報に基づく）消色処理の処理結果に関する情報の集計結果を閲覧することができる。
また、ユーザは、ＩＣカードリーダ８０７にて自分のＩＤ情報が記憶されているＩＣカードを読み取らせ、個人認証を行った上で、部門ボタンｍ１を押下すると、そのユーザが属している部門に対応付けられている情報に基づく消色処理に関する集計結果を閲覧することができる。
なお、図１１〜図１４では、個人認証を行ったユーザが個人ボタンｍ２を押下した状態における、タブｔ２〜ｔ５それぞれを選択した際の画面表示例を示している。
【００３４】
図１５は、ユーザがスタートボタンｍ５を押下して消色装置Ｅにおける消色処理が開始された状態における表示部８０５ａにおける画面表示例を示す図である。
図１５に示すように、消色処理開始前にはゼロになっていた、「印刷枚数」、「消色装置Ｅにて消色処理を施したシート枚数」、「消色処理を行ったことにより削減されるＣＯ２量」、「消色処理を行ったことにより環境への貢献度を示す杉の木の本数」の値は、消色処理の開始にともない、リアルタイムに更新表示される。
【００３５】
図１６は、消色装置Ｅにおける消色処理が完了した際の表示部８０５ａにおける画面表示例を示す図である。
図１６に示すように、表示制御部１０２は、消色可否判定部１０１における判定結果に基づいて、「複数の消色処理を実行できない理由それぞれにより消色処理を実行できないと判定されたシート枚数」を、「複数の消色処理を実行できない理由それぞれ」と対応付けて表示部８０５ａにて分類表示させる。
表示制御部１０２は、消色処理を実行できないと判定された枚数が最も多い理由による消色処理を実行できない状態を改善するための所定の改善アドバイスを表示部８０５ａに画面表示させる。
上述の消色装置Ｅでの処理における各動作は、メモリ８０３に格納されているプログラムをプロセッサ８０１に実行させることにより実現されるものである。
【００３６】
このように、第１の実施の形態では、表示部８０５ａにてメインメニュー画面が表示されている際に、ユーザが部門ボタンｍ１、個人ボタンｍ２および管理者ボタンｍ３の内のいずれかを押下することで、それぞれの単位で集計されたデータを閲覧可能なインターフェース画面が表示される。
このような構成にすることにより、ユーザは、自分自身が行った消色処理の状況や、自分が属する部門での消色処理の状況を容易に把握することができ、結果としてユーザの紙再利用に対する意識を高め、紙の再利用の促進を図ることができる。
【００３７】
さらに、第１の実施の形態によれば、例えば以下のような構成の消色装置を提供することができる。
（１）．  消色性着色剤により画像を形成されたシートに対して、前記消色性着色剤の色を消す消色処理を施す消色処理部と、
シートを搬送して前記消色処理部を通過させるシート搬送部と、
前記シート搬送部によるシート搬送方向における前記消色処理部よりも上流側に配置され、前記シート搬送部により搬送されるシートに形成されている画像を読み取る画像読取部と、
前記シート搬送部によるシート搬送方向における前記消色処理部よりも上流側に配置され、前記シート搬送部により搬送されるシートの厚さを検知する厚さセンサと、
前記画像読取部および前記厚さセンサの内の少なくともいずれかにおける検知結果に基づいて、検知対象となったシートの前記消色処理部における消色処理の実行可否を判定する消色可否判定部と、
前記消色可否判定部にて消色処理実行不可と判定されるシート枚数を示す情報を記憶する記憶部と、
ディスプレイと、
前記記憶部に記憶される、前記消色可否判定部にて消色処理実行不可と判定されるシート枚数を示す情報を、前記ディスプレイにて画面表示させる表示制御部と、
を備える消色装置。
【００３８】
（２）．（１）の装置において、
前記記憶部は、消色処理の実行日および消色処理の実行を指示したユーザの識別情報の内の少なくともいずれかと、前記消色可否判定部にて消色処理実行不可と判定されるシート枚数を示す情報とを対応づけて記憶し、
ユーザの操作入力を受け付ける操作入力部をさらに備え、
前記表示制御部は、消色処理の実行日および消色処理の実行を指示したユーザの識別情報の内の少なくともいずれかに関する情報に基づく、前記記憶部に記憶される前記消色可否判定部にて消色処理実行不可と判定されるシート枚数を示す情報の集計結果の表示要求を前記操作入力部にて受け付けた場合に、前記集計結果を前記ディスプレイにて画面表示させる消色装置。
【００３９】
（３）．（１）の装置において、
前記消色可否判定部にて消色処理実行不可と判定されるシート枚数と、前記厚さセンサにて検知対象となったシート枚数とに基づき、シートの再利用率を示す情報を算出する再利用率算出部をさらに備え、
前記表示制御部は、前記シートの再利用率を示す情報を前記ディスプレイにて画面表示させる消色装置。
（４）．（１）の装置において、
前記消色可否判定部は、検知対象となったシートが前記消色処理部における消色処理を実行できないものである場合に、前記画像読取部および前記厚さセンサの内の少なくともいずれかにおける検知結果に基づいて、消色処理を実行できない理由が、複数の所定の理由の内のいずれかに該当するかを判定する消色装置。
【００４０】（５）．（４）の装置において、  前記表示制御部は、前記消色可否判定部における判定結果に基づいて、前記複数の消色処理を実行できない理由それぞれにより消色処理を実行できないと判定されたシート枚数を、前記複数の消色処理を実行できない理由それぞれと対応付けて前記ディスプレイにて画面表示させる消色装置。（６）．（４）の装置において、  前記表示制御部は、前記消色可否判定部にて判定される消色処理を実行できない理由に対応づけて、前記理由に基づく消色処理を実行できない状態を改善するための所定のアドバイス内容を前記ディスプレイに画面表示させる消色装置。 
【００４１】
（７）．（４）の装置において、
前記表示制御部は、前記消色可否判定部における判定結果に基づいて、前記複数の消色処理を実行できない理由それぞれにより消色処理を実行できないと判定されたシート枚数を、前記複数の消色処理を実行できない理由それぞれと対応付けて前記ディスプレイにて画面表示させるとともに、消色処理を実行できないと判定された枚数が最も多い理由による消色処理を実行できない状態を改善するための所定のアドバイス内容を前記ディスプレイに画面表示させる消色装置。
（８）．（１）の装置において、
前記消色可否判定部にて消色処理実行不可と判定されるシート枚数および前記厚さセンサにて検知対象となったシート枚数に基づいて消色処理を施されたシート枚数を求め、前記消色処理を施されたシート枚数に規定の係数を乗算して算出される環境負荷貢献率を求める貢献率算出部をさらに備え、
前記表示制御部は、前記貢献率算出部にて算出される環境負荷貢献率を、前記ディスプレイにて画面表示させる消色装置。
【００４２】
（９）．（８）の装置において、
前記環境負荷貢献率とは、ＣＯ２の削減量である消色装置。
（１０）．（１）の装置において、
前記消色装置と通信可能な画像形成装置にて印字処理を施されたシート枚数を示す情報を取得する印字枚数情報取得部と、
前記印字枚数情報取得部により取得されるシート枚数に対する、前記消色可否判定部にて消色処理実行不可と判定されるシート枚数および前記厚さセンサにて検知対象となったシート枚数に基づいて算出される消色処理を施されたシート枚数の割合である消色処理実施率を算出する消色処理実施率算出部と、をさらに備え、
前記表示制御部は、前記消色処理実施率を前記ディスプレイに画面表示させる消色装置。
【００４３】
（第２の実施の形態）
続いて、第２の実施の形態について説明する。
第２の実施の形態は、上述した第１の実施の形態の変形例である。したがって、第１の実施の形態にてすでに説明した部分と同様の機能を有する部分には同一符号を付し、説明は省略する。
図１７は、第２の実施の形態による消色装置について説明するための機能ブロック図である。
第２の実施の形態による消色装置Ｅ２は、第１の実施の形態による消色装置Ｅ１における表示制御部１０２に代えて、表示制御部１０２ｂを備えている。表示制御部１０２ｂは、第１の実施の形態による消色装置Ｅ１における表示制御部１０２の機能に加えて、以下の機能を有する。
【００４４】
ＨＤＤ８０４（記憶部）は、（１）消色処理の実行日と、（２）消色可否判定部１０１にて消色処理実行不可と判定されるシート枚数を示す情報と、を対応づけて記憶する。
表示制御部１０２ｂは、消色処理の実行日に関する情報に基づく、ＨＤＤ８０４に記憶される「消色可否判定部１０１にて消色処理実行不可と判定されるシート枚数を示す情報」の、「互いに異なる複数の期間のいずれかを単位期間とする集計結果の表示要求」をタッチパネル式操作部８０５ｂにて受け付けた場合に、集計結果を表示部８０５ａにて画面表示させる。ここでの「単位期間」としては、例えば、「日」、「月」、「年」などが挙げられる。
またＨＤＤ８０４は、互いに異なる複数の期間内のいずれにおける集計結果の表示要求がなされたかを示す「要求情報」を記憶しておく。
そして、表示制御部１０２ｂは、消色装置Ｅ２が再起動された際に、ＨＤＤ８０４に記憶されている「要求情報」が示す単位期間での集計結果を表示部８０５ａにて画面表示させる。
【００４５】
図１８は、第２の実施の形態による消色装置Ｅ２における処理（表示制御方法）の流れについて説明するためのフローチャートである。第２の実施の形態による消色装置Ｅ２は、第１の実施の形態による消色装置Ｅ１における処理に加えて、以下の処理を実行する。
まず、ＨＤＤ８０４（記憶部）は、（１）消色処理の実行日と、（２）消色可否判定部１０１にて消色処理実行不可と判定されるシート枚数を示す情報と、を対応づけて記憶する（ＡＣＴ２０１）。
次に、表示制御部１０２ｂは、消色処理の実行日に関する情報に基づく、ＨＤＤ８０４に記憶される「消色可否判定部１０１にて消色処理実行不可と判定されるシート枚数を示す情報」の、「互いに異なる複数の期間のいずれかを単位期間とする集計結果の表示要求」をタッチパネル式操作部８０５ｂにて受け付けた場合に、集計結果を表示部８０５ａにて画面表示させる（Ａｃｔ２０２）。
【００４６】
図１９〜図２１は、第２の実施の形態による消色装置Ｅ２における、表示制御部１０２ｂにより表示部８０５ａにて画面表示されるメインメニュー画面の一例である。
図１９〜図２１に示すように、表示制御部１０２ｂは、各タブｔ１〜ｔ５を選択することにより表示される各メニュー画面の下部に、日単位集計ボタンｄ１、月単位集計ボタンｄ２、年単位集計ボタンｄ３を表示している。
ユーザがタッチパネル操作部８０５ｂを操作することにより、これら集計ボタンｄ１〜ｄ３の内のいずれかを押下すると、そのボタン選択の結果がＨＤＤ８０４に格納される。
【００４７】
また、表示制御部１０２ｂは、表示部８０５ａにてメニュー画面が表示されている際に、ユーザが、日単位ボタンｄ１、月単位ボタンｄ２、年単位ボタンｄ３の内のいずれかを押下すると、表示部８０５ａにおける表示内容をそれぞれの単位でデータを集計した画面表示に切り替える。図１９は、日単位集計ボタンｄ１が選択された際の画面表示例を示す図である。図２０は、月単位集計ボタンｄ２が選択された際の画面表示例を示す図である。図２１は、年単位集計ボタンｄ３が選択された際の画面表示例を示す図である。
表示制御部１０２ｂは、次回消色装置Ｅ２が起動される際に、前回の操作に基づいてＨＤＤ８０４に格納されている選択結果に基づくメニュー画面を表示させる。
このような構成にすることにより、ユーザは、日単位、月単位、年単位での、消色処理によるシート再利用率を容易に把握することができ、結果としてユーザの紙再利用に対する意識を高め、紙の再利用の促進を図ることができる。
【００４８】
さらに、第２の実施の形態によれば、例えば以下のような構成の消色装置を提供することができる。
（１）．  上述のような構成の消色装置において、
前記記憶部は、消色処理の実行日と、前記消色可否判定部にて消色処理実行不可と判定されるシート枚数を示す情報とを対応づけて記憶し、
ユーザの操作入力を受け付ける操作入力部をさらに備え、
前記表示制御部は、消色処理の実行日に関する情報に基づく、前記記憶部に記憶される前記消色可否判定部にて消色処理実行不可と判定されるシート枚数を示す情報の、互いに異なる複数の期間のいずれかを単位期間とする集計結果の表示要求を前記操作入力部にて受け付けた場合に、前記集計結果を前記ディスプレイにて画面表示させる消色装置。
（２）．  （１）の装置において、
前記記憶部は、前記互いに異なる複数の期間内のいずれにおける集計結果の表示要求がなされたかを示す要求情報を記憶し、
前記表示制御部は、前記消色装置が再起動された際に、前記記憶部に記憶されている前記要求情報が示す単位期間での集計結果を前記ディスプレイにて画面表示させる消色装置。
【００４９】
（第３の実施の形態）
続いて、第３の実施の形態について説明する。
第３の実施の形態は、上述した各実施の形態の変形例である。したがって、上述の各実施の形態にてすでに説明した部分と同様の機能を有する部分には同一符号を付し、説明は省略する。
図２２は、第３の実施の形態による消色装置について説明するための機能ブロック図である。
第３の実施の形態による消色装置Ｅ３は、第１の実施の形態による消色装置Ｅ１の構成に加えて、動作判別部１０７を備えている。第３の実施の形態による消色装置Ｅ３は、第１の実施の形態による消色装置Ｅ１における表示制御部１０２に代えて、表示制御部１０２ｃを備えている。表示制御部１０２ｃは、第１の実施の形態による消色装置Ｅ１における表示制御部１０２の機能に加えて、以下の機能を有する。
【００５０】
動作判別部１０７は、消色装置Ｅ３が、装置起動時やスリープ状態からの復帰時のようなウォーミングアップ動作を行っているか否かを判別する。
表示制御部１０２ｃは、動作判別部１０７にて消色装置Ｅ３がウォーミングアップ動作を行っていると判定される場合に、ＨＤＤ８０４に記憶されている「消色装置Ｅ３の使用法を示す情報」を、表示部８０５ａにてガイダンス表示させる。
また、表示制御部１０２ｃは、動作判別部１０７にて消色装置Ｅ３がウォーミングアップ動作を行っていると判定される場合に、ＨＤＤ８０４に記憶されている「画像形成装置の使用法を示す情報」を、表示部８０５ａにてガイダンス表示させることもできる。
【００５１】
図２３は、第３の実施の形態による消色装置Ｅ３における処理（表示制御方法）の流れについて説明するためのフローチャートである。第３の実施の形態による消色装置Ｅ３は、上述の実施の形態による処理に加えて、以下の処理を実行する。
動作判別部１０７は、消色装置Ｅ３が、装置起動時やスリープ状態からの復帰時のようなウォーミングアップ動作を行っているか否かを判別する（Ａｃｔ３０１）。
表示制御部１０２ｃは、動作判別部１０７にて消色装置Ｅ３がウォーミングアップ動作を行っていると判定される場合に、ＨＤＤ８０４に記憶されている「消色装置Ｅ３の使用法を示す情報」もしくは「画像形成装置の使用法を示す情報」を、表示部８０５ａにてガイダンス表示させる（Ａｃｔ３０２）。
表示制御部１０２ｃは、例えば、ユーザのタッチパネル操作部８０５ｂへの操作入力によって予め設定されている設定内容に基づいて、「消色装置Ｅ３の使用法を示す情報」もしくは「画像形成装置の使用法を示す情報」のいずれかを、あるいは両方の画面表示を行わせる。
【００５２】
表示制御部１０２ｃは、消色装置Ｅ３がウォーミングアップ状態のときに、「消色装置Ｅ３の機能」や「消色装置Ｅ３とネットワーク接続されている画像形成装置等の外部機器の機能」など表示部８０５ａにて画面表示させ、その画面の一部にウォーミングアップがあとどれくらいで終了するのかの目安となるプログレスバーを表示させる。
また、表示制御部１０２ｃは、図２４〜図２６のようなガイダンス表示の状態にあるときにユーザがデータボタンｆ１を押下した場合に、ＨＤＤ８０４に保存されたデータを利用して、消色装置Ｅ３が前回動作していたときまでの「リユース率」、「リジェクト状況」、「ログ」、「レベル設定」の内容を示す画面を表示させることができる。
また、表示制御部１０２ｃは、図２７のようなガイダンス表示の状態にあるときにユーザが機能ボタンｆ２を押下した場合に、図２４〜図２６のようなガイダンス表示の状態に移行する。
【００５３】
このように、第３の実施の形態では、消色装置Ｅにおけるウォーミングアップ動作時に、表示部８０５ａにて、消色装置Ｅやネットワークを介して接続されている画像形成装置等の機能紹介を表示する。また、消色装置Ｅにおける消色処理に関する各種情報等も切り替え表示可能となっている。
このような構成にすることにより、消色装置Ｅがウォーミングアップ動作中で消色処理を行うことができない時間中に、消色装置や周辺の画像装置の機能や累積データをユーザに視認させることができる。
これにより、消色処理を実行不能は用紙（ボールペンで文字が書かれたシートやステイプルされたシート束など）のセッティングの防止、消色処理の成功率の向上、環境意識の向上などを図ることができる。さらに、ユーザは、消色装置Ｅのウォーミングアップ時における待ち時間を有効利用することができるようになり、当該待ち時間に対するストレスの軽減にも寄与することができる。
【００５４】
さらに、第３の実施の形態によれば、例えば以下のような構成の消色装置を提供することができる。
（１）．  上述のような構成の消色装置において、
前記消色装置がウォーミングアップ動作を行っているか否かを判別する動作判別部と、
前記表示制御部は、前記動作判別部にて前記消色装置がウォーミングアップ動作を行っていると判定される場合に、前記記憶部に記憶されている前記消色装置の使用法を示す情報をガイダンス表示する消色装置。
（２）．  上述のような構成の消色装置において、
前記表示制御部は、前記動作判別部にて前記消色装置がウォーミングアップ動作を行っていると判定される場合に、前記記憶部に記憶されている前記画像形成装置の使用法を示す情報をガイダンス表示する消色装置。
【００５５】
（第４の実施の形態）
続いて、第４の実施の形態について説明する。
第４の実施の形態は、上述した各実施の形態の変形例である。したがって、上述の各実施の形態にてすでに説明した部分と同様の機能を有する部分には同一符号を付し、説明は省略する。
図２８は、第４の実施の形態による消色装置について説明するための機能ブロック図である。
第４の実施の形態による消色装置Ｅ４は、第１の実施の形態による消色装置Ｅ１の構成に加えて、識別情報取得部１０８を備えている。第４の実施の形態による消色装置Ｅ４は、第１の実施の形態による消色装置Ｅ１における表示制御部１０２に代えて、表示制御部１０２ｄを備えている。表示制御部１０２ｄは、第１の実施の形態による消色装置Ｅ１における表示制御部１０２の機能に加えて、以下の機能を有する。
【００５６】
図２８は、第４の実施の形態による消色装置について説明するための機能ブロック図である。
第４の実施の形態による消色装置Ｅ４は、第１の実施の形態による消色装置Ｅ１の構成に加えて、識別情報取得部１０８を備えている。第４の実施の形態による消色装置Ｅ４は、第１の実施の形態による消色装置Ｅ１における表示制御部１０２に代えて、表示制御部１０２ｄを備えている。表示制御部１０２ｄは、第１の実施の形態による消色装置Ｅ１における表示制御部１０２の機能に加えて、以下の機能を有する。
【００５７】
識別情報取得部１０８は、消色装置Ｅ４における消色処理の実行を指示するユーザの識別情報を取得する。識別情報取得部１０８は、例えば、ＩＣカードリーダ８０７にて読み取られるＩＤ情報をユーザ識別情報として取得する。
ＨＤＤ８０４は、消色処理の実行を指示したユーザの識別情報と、「消色可否判定部１０１にて消色処理実行不可と判定されるシート枚数を示す情報」とを対応づけて記憶する。
表示制御部１０２ｄは、識別情報取得部１０８にて識別情報を取得した場合に、ＨＤＤ８０４に記憶される「消色可否判定部１０１にて消色処理実行不可と判定されるシート枚数を示す情報」の、当該識別情報のユーザに対応する集計結果を、表示部８０５ａにて画面表示させる。
【００５８】
また、消色可否判定部１０１ｄは、検知対象となったシートが消色処理部５０３ａおよび５０３ｂにおける消色処理を実行できないものである場合に、画像読取部および厚さセンサの内の少なくともいずれかにおける検知結果に基づいて、消色処理を実行できない理由が、複数の所定の理由の内のいずれかに該当するかを判定する。そして、消色可否判定部１０１ｄは、該判定結果と、該消色処理の実行を指示したユーザの識別情報とを対応づけてＨＤＤ８０４に記憶させる。
表示制御部１０２ｄは、識別情報取得部１０８にて識別情報が取得された場合に、（１）該識別情報に対応づけられている消色可否判定部１０１ｄでの判定結果と、（２）該判定結果が示す理由に基づく消色処理を実行できない状態を改善するための所定のアドバイス内容と、を表示部８０５ａに画面表示させる。
また、表示制御部１０２ｄは、識別情報取得部１０８にて識別情報を取得した場合に、ＨＤＤ８０４に記憶される消色可否判定部にて消色処理実行不可と判定されるシート枚数を示す情報の、識別情報のユーザに対応する集計結果を、表示部８０５ａにてランキング表示させることもできる。
【００５９】
図２９は、第４の実施の形態による消色装置Ｅ４における処理（表示制御方法）の流れについて説明するためのフローチャートである。第４の実施の形態による消色装置Ｅ４は、上述の実施の形態による処理に加えて、以下の処理を実行する。
識別情報取得部１０８は、消色装置Ｅ４における消色処理の実行を指示するユーザの識別情報を取得する。識別情報取得部１０８は、例えば、ＩＣカードリーダ８０７にて読み取られるＩＤ情報をユーザ識別情報として取得する（Ａｃｔ４０１）。
【００６０】
また、消色可否判定部１０１ｄは、検知対象となったシートが消色処理部５０３ａおよび５０３ｂにおける消色処理を実行できないものである場合に、画像読取部および厚さセンサの内の少なくともいずれかにおける検知結果に基づいて、消色処理を実行できない理由が、複数の所定の理由の内のいずれかに該当するかを判定する（Ａｃｔ４０２）。
そして、消色可否判定部１０１ｄは、該判定結果と、該消色処理の実行を指示したユーザの識別情報とを対応づけてＨＤＤ８０４に記憶させる（Ａｃｔ４０３）。
ＨＤＤ８０４は、消色処理の実行を指示したユーザの識別情報と、「消色可否判定部１０１にて消色処理実行不可と判定されるシート枚数を示す情報」とを対応づけて記憶する（Ａｃｔ４０４）。
【００６１】
表示制御部１０２ｄは、識別情報取得部１０８にて識別情報を取得した場合に、ＨＤＤ８０４に記憶される「消色可否判定部１０１にて消色処理実行不可と判定されるシート枚数を示す情報」の、当該識別情報のユーザに対応する集計結果を、表示部８０５ａにて画面表示させる（Ａｃｔ４０５）。
このとき、表示制御部１０２ｄは、識別情報取得部１０８にて識別情報が取得された場合に、（１）該識別情報に対応づけられている消色可否判定部１０１ｄでの判定結果と、（２）該判定結果が示す理由に基づく消色処理を実行できない状態を改善するための所定のアドバイス内容と、を表示部８０５ａに画面表示させる。
【００６２】
図３０は、メインメニュー画面において、消色処理の実行指示が出され、消色処理が完了した、もしくは停止ボタンｍ４が押下されたときに、表示制御部１０２ｄにより表示部８０５ａにて表示させる画面例を示す図である。
ユーザがＩＣカードリーダ８０７にてＩＣカードを読み取らせて認証処理を行うまでは、表示制御部１０２ｄは、図３１に示す個人認証画面Ｐ１’のように、部門ボタンｎ１、個人ボタンｎ２、管理者ボタンｎ３それぞれが、選択不可の状態（例えば、グレーアウトした状態）で画面表示させる。
【００６３】
ユーザがＩＣカードリーダ８０７にてＩＣカードを読み取らせて認証処理を行うと、表示制御部１０２ｄは、識別情報取得部１０８にて取得されるＩＤ情報に基づいて、図３２に示す画面上のように選択不可であった部門ボタンｎ１、個人ボタンｎ２および管理者ボタンｎ３の内、当該ユーザが閲覧権限または操作権限を有するもののみが選択可能な画面表示に切り替える（例えば、個人ボタンｎ２のみが選択可能となる等）。
なお、当該ユーザが管理者（administrator）である場合、表示制御部１０２ｄは、図３２に示す画面上のように選択不可であった部門ボタンｎ１、個人ボタンｎ２および管理者ボタンｎ３の全てを選択可能な表示状態とする。
また、ユーザが図３２に示す画面において部門ボタンｎ１を押下すると、表示制御部１０２ｄは、部門単位の処理状況の集計結果を示す情報を画面表示させる（図３３を参照）。
【００６４】
上記個人認証を終えた後、表示制御部１０２ｄは、当該ユーザが閲覧権限または操作権限を有するのが個人ボタンｎ２のみであった場合、当該認証されたユーザのＩＤ情報に対応づけてＨＤＤ８０４に格納されている処理履歴に基づいて、（１）当該ユーザ個人の消色処理の処理結果に関する集計結果等の情報表示や、（２）消色処理を促進させるガイダンスの表示などを行わせる。
図３４は、認証されたユーザ個人の消色処理の成功率（リユース率）に基づいて表示される、部門内での当該ユーザの順位表示を行うランキング画面Ｌ１の一例を示す図である。
また、表示制御部１０２ｄは、消色可否判定部１０１により消色不可能（ステイプル針が取り付けられたまま消色装置に投入されている等）と判定されるシートが多い場合に、消色不可用紙の状態と改善のアドバイスを表示するアドバイス画面Ａ１を表示部８０５ａにて行わせる（図３５）。
【００６５】
このように、第４の実施の形態では、ユーザが個人認証を行うことにより、表示部８０５ａに表示されている画面上の部門ボタンｎ１、個人ボタンｎ２および管理者ボタンｎ３の内の、当該ユーザが閲覧権限を有する集計データの閲覧ボタンのみ押下可能表示に切り替り、これら押下可能なボタンを押下することで様々な情報を閲覧可能となる。また、当該ユーザが閲覧権限を有しない集計データを閲覧するためのボタンはグレーアウト表示される。
このような構成にすることにより、ユーザは、与えられた閲覧権限に応じた集計データを閲覧することで、自分が関与している部門や自分自身のシート再利用率を容易に把握することができ、シート再利用率の向上に対する意識の向上に寄与することができる。
【００６６】
さらに、第４の実施の形態によれば、例えば以下のような構成の消色装置を提供することができる。
（１）．  上述のような構成の消色装置において、
前記消色装置における消色処理の実行を指示するユーザの識別情報を取得する識別情報取得部と、
前記記憶部は、消色処理の実行を指示したユーザの識別情報と、前記消色可否判定部にて消色処理実行不可と判定されるシート枚数を示す情報とを対応づけて記憶し、
前記表示制御部は、前記識別情報取得部にて前記識別情報を取得した場合に、前記記憶部に記憶される前記消色可否判定部にて消色処理実行不可と判定されるシート枚数を示す情報の、前記識別情報のユーザに対応する集計結果を、前記ディスプレイにて画面表示させる消色装置。
【００６７】
（２）．（１）の装置において、
前記消色可否判定部は、検知対象となったシートが前記消色処理部における消色処理を実行できないものである場合に、前記画像読取部および前記厚さセンサの内の少なくともいずれかにおける検知結果に基づいて、消色処理を実行できない理由が、複数の所定の理由の内のいずれかに該当するかを判定し、該判定結果と該消色処理の実行を指示したユーザの識別情報とを対応づけて前記記憶部に記憶させる消色装置。
（３）．（２）の装置において、
前記表示制御部は、前記識別情報取得部にて識別情報が取得された場合に、該識別情報に対応づけられている前記消色可否判定部での判定結果と、該判定結果が示す理由に基づく消色処理を実行できない状態を改善するための所定のアドバイス内容とを前記ディスプレイに画面表示させる消色装置。
（４）．（１）の装置において、
前記表示制御部は、前記識別情報取得部にて前記識別情報を取得した場合に、前記記憶部に記憶される前記消色可否判定部にて消色処理実行不可と判定されるシート枚数を示す情報の、前記識別情報のユーザに対応する集計結果を、前記ディスプレイにてランキング表示させる消色装置。
【００６８】
（第５の実施の形態）
続いて、第５の実施の形態について説明する。
第５の実施の形態は、上述した各実施の形態の変形例である。したがって、上述の各実施の形態にてすでに説明した部分と同様の機能を有する部分には同一符号を付し、説明は省略する。
【００６９】
図３６は、第５の実施の形態による消色装置について説明するための機能ブロック図である。
第５の実施の形態による消色装置Ｅ５は、第１の実施の形態による消色装置Ｅ１の構成に加えて、識別情報取得部１０８を備えている。第５の実施の形態による消色装置Ｅ５は、第１の実施の形態による消色装置Ｅ１における表示制御部１０２に代えて、表示制御部１０２ｅを備えている。表示制御部１０２ｅは、第１の実施の形態による消色装置Ｅ１における表示制御部１０２の機能に加えて、以下の機能を有する。
【００７０】
ＨＤＤ８０４は、消色可否判定部１０１にて消色処理実行不可と判定されるシート枚数を示す情報を累積的に記憶する。
表示制御部１０２ｅは、前記消色処理部５０３ａおよび５０３ｂによる消色処理が開始された際に、ＨＤＤ８０４に記憶されている過去の累積情報を画面表示させる。
ＨＤＤ８０４は、「消色処理の実行を指示したユーザの識別情報」と、「該識別情報のユーザが所属する部署を示す情報」と、「消色可否判定部１０１にて消色処理実行不可と判定されるシート枚数を示す情報」と、を対応づけて記憶する。
【００７１】  表示制御部１０２ｅは、識別情報取得部１０８にてユーザの識別情報を取得した場合に、ＨＤＤ８０４に記憶される「消色可否判定部１０１にて消色処理実行不可と判定されるシート枚数を示す情報」の、「識別情報」および「該識別情報のユーザが所属する部署」の内のいずれか操作入力部にて指定される集計基準に基づく集計結果を、表示部８０５ａにて画面表示させる。
【００７２】
図３７は、第５の実施の形態による消色装置Ｅ５における処理（表示制御方法）の流れについて説明するためのフローチャートである。第５の実施の形態による消色装置Ｅ５は、上述の実施の形態による処理に加えて、以下の処理を実行する。
ＨＤＤ８０４は、「消色処理の実行を指示したユーザの識別情報」と、「該識別情報のユーザが所属する部署を示す情報」と、「消色可否判定部１０１にて消色処理実行不可と判定されるシート枚数を示す情報」と、を対応づけて累積的に記憶する（Ａｃｔ５０１）。
【００７３】
表示制御部１０２ｅは、識別情報取得部１０８にてユーザの識別情報を取得した場合に、ＨＤＤ８０４に記憶される「消色可否判定部１０１にて消色処理実行不可と判定されるシート枚数を示す情報」の、「識別情報」および「該識別情報のユーザが所属する部署」の内のいずれか操作入力部にて指定される集計基準に基づく集計結果を、表示部８０５ａにて画面表示させる（Ａｃｔ５０２）。ここでの集計結果の一例としては、消色処理の結果としての環境貢献度を示す情報、消色処理の失敗要因である「消し残り」、「折れ／破れ」、「束」および「残留物」それぞれによる消色処理失敗枚数などが挙げられる。
また、表示制御部１０２ｅは、前記消色処理部５０３ａおよび５０３ｂによる消色処理が開始された際に、ＨＤＤ８０４に記憶されている過去の累積情報を画面表示させる。
【００７４】
図３８は、表示制御部１０２ｅにより表示部８０５ａにて表示させる、供給カセットに用紙をセットした後に、メインメニューのスタートを押下後に表示が切り替わり累積情報を示す画面Ｌ１の一例である。
図３８に示すように、表示制御部１０２ｅは、消色装置Ｅ５における個人認証処理が行われていない状態において、累積情報を示す画面Ｌ１上に部門ボタンｂ１、個人ボタンｂ２および管理者ボタンｂ３を選択不能にグレーアウトした状態で表示している。
図３９は、識別情報取得部１０８にてユーザの識別情報を取得して個人取得処理が完了した場合に、表示制御部１０２ｅが表示部８０５ａにて表示させる画面Ｌ１の一例である。
【００７５】
ユーザがタッチパネル操作部８０５ｂを操作することにより、たとえば、個人ボタンｂ２を押下すると、表示制御部１０２ｅは、画面Ｌ１にて当該ユーザ個人（ここでは、Ａさん）に対応づけてＨＤＤ８０４に累積的に記憶されている消色処理の処理結果に関する情報の集計結果等を示す画面Ｌ２を表示させる（図４０を参照）。
また、ユーザがタッチパネル操作部８０５ｂを操作することにより、部門ボタンｂ１を押下すると、表示制御部１０２ｅは、画面Ｌ１にて当該ユーザ個人が属する部門に対応づけてＨＤＤ８０４に累積的に記憶されている消色処理の処理結果に関する情報の集計結果等を示す画面Ｌ３を表示させる（図４１を参照）。
このように、第５の実施の形態によれば、消色装置の稼働状況や用紙状態を詳細に表示し、また個人や小単位での情報をユーザへ提供及び環境負荷低減の啓蒙や改善を促すことができる。
【００７６】
さらに、第５の実施の形態によれば、例えば以下のような構成の消色装置を提供することができる。
（１）．  上述のような構成の消色装置において、
前記記憶部は、前記消色可否判定部にて消色処理実行不可と判定されるシート枚数を示す情報を累積的に記憶し、
前記表示制御部は、前記消色処理部による消色処理が開始された際に、前記記憶部に記憶されている過去の累積情報を画面表示させる消色装置。
（２）．  （１）の装置において、
前記消色装置における消色処理の実行を指示するユーザの識別情報を取得する識別情報取得部と、
ユーザの操作入力を受け付ける操作入力部と、をさらに備え、
前記記憶部は、消色処理の実行を指示したユーザの識別情報と、該識別情報のユーザが所属する部署を示す情報と、前記消色可否判定部にて消色処理実行不可と判定されるシート枚数を示す情報とを対応づけて記憶し、
前記表示制御部は、前記識別情報取得部にて前記識別情報を取得した場合に、前記記憶部に記憶される前記消色可否判定部にて消色処理実行不可と判定されるシート枚数を示す情報の、前記識別情報および該識別情報のユーザが所属する部署の内のいずれか前記操作入力部にて指定される集計基準に基づく集計結果を、前記ディスプレイにて画面表示させる消色装置。
【００７７】
更に、消色装置を構成するコンピュータにおいて上述した各動作を実行させるプログラムを提供することができる。本実施の形態では、発明を実施する機能を実現するための当該プログラムが、装置内部に設けられた記憶領域に予め記録されている場合を例示したが、これに限らず同様のプログラムをネットワークから装置にダウンロードしても良いし、同様のプログラムをコンピュータ読取可能な記録媒体に記憶させたものを装置にインストールしてもよい。記録媒体としては、プログラムを記憶でき、かつコンピュータが読み取り可能な記録媒体であれば、その形態は何れの形態であっても良い。具体的に、記録媒体としては、例えば、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体、コンピュータプログラムを保持するデータベース、或いは、他のコンピュータ並びにそのデータベースや、回線上の伝送媒体などが挙げられる。またこのように予めインストールやダウンロードにより得る機能は装置内部のＯＳ（オペレーティング・システム）等と共働してその機能を実現させるものであってもよい。
【００７８】
なお、プログラムは、その一部または全部が、動的に生成される実行モジュールであってもよい。
また、上述の各実施の形態にてプログラムをプロセッサに実行させることにより実現される各種処理は、その少なくとも一部を、ＡＳＩＣ８０２にて回路的に実行させることも可能であることは言うまでもない。
また、上述の第１〜第５の実施の形態それぞれを、必要に応じて所望の組み合わせで組み合わせて実現する構成とすることもできることは言うまでもない。
以上に詳述したように、この明細書に記載の技術によれば、消色装置における消色処理の処理状況に関する情報を把握しやすいインターフェース画面を提供することができる。
【００７９】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００８０】
消色可否判定部  １０１、表示制御部  １０２、再利用率算出部  １０３、貢献率算出部  １０４、印字枚数情報取得部  １０５、消色処理実施率算出部  １０６、消色処理部  ５０３ａ、５０３ｂ、画像読取部（ラインセンサ）  ５０４、厚さセンサ  ５０７、記憶部（ＨＤＤ）  ８０４、ディスプレイ（表示部）  ８０５a、操作入力部（タッチパネル式操作部）  ８０５ｂ、消色装置  Ｅ、シート搬送部（搬送パス等および搬送ローラ）  Ｐａ〜Ｐｊ、Ｒ３〜Ｒ８。
【先行技術文献】
【特許文献】
【００８１】
【特許文献１】特開平０８−１７９６６２号公報
【図１】
0005583621.tif 000002
【図２】
0005583621.tif 000003
【図３】
0005583621.tif 000004
【図４】
0005583621.tif 000005
【図５】
0005583621.tif 000006
【図６】
0005583621.tif 000007
【図７】
0005583621.tif 000008
【図８】
0005583621.tif 000009
【図９】
0005583621.tif 000010
【図１０】
0005583621.tif 000011
【図１１】
0005583621.tif 000012
【図１２】
0005583621.tif 000013
【図１３】
0005583621.tif 000014
【図１４】
0005583621.tif 000015
【図１５】
0005583621.tif 000016
【図１６】
0005583621.tif 000017
【図１７】
0005583621.tif 000018
【図１８】
0005583621.tif 000019
【図１９】
0005583621.tif 000020
【図２０】
0005583621.tif 000021
【図２１】
0005583621.tif 000022
【図２２】
0005583621.tif 000023
【図２３】
0005583621.tif 000024
【図２４】
0005583621.tif 000025
【図２５】
0005583621.tif 000026
【図２６】
0005583621.tif 000027
【図２７】
0005583621.tif 000028
【図２８】
0005583621.tif 000029
【図２９】
0005583621.tif 000030
【図３０】
0005583621.tif 000031
【図３１】
0005583621.tif 000032
【図３２】
0005583621.tif 000033
【図３３】
0005583621.tif 000034
【図３４】
0005583621.tif 000035
【図３５】
0005583621.tif 000036
【図３６】
0005583621.tif 000037
【図３７】
0005583621.tif 000038
【図３８】
0005583621.tif 000039
【図３９】
0005583621.tif 000040
【図４０】
0005583621.tif 000041
【図４１】
0005583621.tif 000042